(57)【要約】【課題】複数のタッチパネルを持つ情報端末装置において、アプリケーション毎によるタッチパネルの使い分けについて言及されておらず、常に複数のタッチパネルを動作させる構成であり、特に2つのタッチパネルそれぞれの入力を検知する際の誤入力防止方法について考慮されていなかった。【解決手段】複数のタッチパネルの動作モードを、情報端末装置の設定あるいは動作しているアプリケーションの種類や動作状態により、個別モード、結合モードのように動作モードを自動的に切替える構成とした。さらに、ユーザー操作を誤操作かどうか判定する誤操作判定手段を設ける構成とした。【選択図】図２
2010277126.tif 000002
【特許請求の範囲】
【請求項１】
表示装置上に複数のタッチパネルを備えた情報端末装置であって、
動作しているアプリケーションを管理するアプリケーション管理部と、
動作しているアプリケーションに対応したタッチパネル動作モードを保存するタッチパネル動作モード保存部と、
動作しているアプリケーションに対応した前記タッチパネル動作モードに従って、前記複数のタッチパネルに対応した複数の信号検出部からの入力信号を処理する制御部と、
を有することを特徴とする情報端末装置。
【請求項２】
表示装置上に複数のタッチパネルを備えた情報端末装置であって、
動作しているアプリケーションを管理するアプリケーション管理部と、
動作しているアプリケーションの数に対応したタッチパネル動作モードを保存するタッチパネル動作モード保存部と、
動作しているアプリケーションの数に対応した前記タッチパネル動作モードに従って、前記複数のタッチパネルに対応した複数の信号検出部からの入力信号を処理する制御部と、
を有することを特徴とする情報端末装置。
【請求項３】
前記制御部は、前記タッチパネル動作モードが第１のモードの場合、前記複数のタッチパネルをまたがる操作に対して、前記複数の信号検出部からの入力信号を連続した信号として処理を行い、前記タッチパネル動作モードが第２のモードの場合、前記複数の信号検出部からの入力信号を個別に処理することを特徴とする請求項１または請求項２に記載の情報端末装置。
【請求項４】
前記タッチパネル動作モードに基づいて、前記複数のタッチパネルをまたがる操作が誤操作であるか否かを判定する誤操作判定部をさらに有することを特徴とする請求項３記載の情報端末装置。
【発明の詳細な説明】
【技術分野】
【０００１】
本発明は、入力指示を行うためのタッチパネルを複数備えた情報端末装置に関するものである。
【背景技術】
【０００２】
近年、携帯電話やＰＤＡ、カーナビゲーション機器など情報端末装置において、入力デバイスとしてポインティングデバイスやタッチパネルを備えたものが増えてきている。タッチパネルを備えた情報端末装置において、ユーザーは表示装置に表示された操作パネルやアイコンを、タッチパネルを介して触れることによって機器を操作することができる。
【０００３】
また、情報端末装置の高機能化への対応や操作性の改善などを目的として複数のタッチパネルを備えた情報端末装置も提案されている。特許文献１には、複数のタッチパネルを備えた情報端末装置において、個々のタッチパネルをそれぞれ個別に操作する方法に加えて、複数のタッチパネルを1枚のタッチパネルのように操作できる方法が開示されている。
【０００４】
図１５は、特許文献１における情報端末装置を示す図である。情報端末装置３１は、入力手段として２つのタブレット３２およびタブレット３３を有する折りたたみ式の情報端末装置であり、２つのタブレットの間に不連続領域３４があって、タブレット３２あるいはタブレット３３のいずれかに、不連続領域３４に接するようにペン３３が接触状態であるか、非接触状態であるかを検出する検出手段３５、３６を有する構成である。
【０００５】
ここで、ペン３３を点Ａから点Ｂへ動かした場合、検出手段３５の検出出力に基づいて、ペン３３がタブレット３２に接触した状態の後に、非接触となり、検出手段３６によりタブレット３３に接触したことを検出することで非接触状態の時間を算出する。そして、非接触状態の時間が予め決めていた時間以内であり、かつ、ペン３３が検出手段３５、３６の検出領域を通過済みであると判断された時は、ペン３３からの入力信号を連続したものとみなすことが開示されている。
【先行技術文献】
【特許文献】
【０００６】
【特許文献１】特開平９−３１１７５７号公報
【発明の概要】
【発明が解決しようとする課題】
【０００７】
しかしながら、特許文献１の情報端末装置は、複数のタブレットやタッチパネルなどの入力手段に対する、アプリケーションの種類に応じた使い分けについて言及されておらず、常に複数の入力手段を動作させる構成である。特に複数の入力手段それぞれの入力を検知する際の誤入力防止方法について考慮されておらず、ユーザーの操作性に課題があった。
【０００８】
本発明は、上記従来の課題を解決するものであり、ユーザーが使用するアプリケーションに応じた最適なタッチパネル入力手段を提供し、誤操作なしに高機能な操作を行うことができる複数のタッチパネルを備えた情報端末装置を提供することを目的とする。
【課題を解決するための手段】
【０００９】
本発明は、上記課題を解決するため、表示装置上に複数のタッチパネルを備えた情報端末装置であって、動作しているアプリケーションを管理するアプリケーション管理部と、動作しているアプリケーションに対応したタッチパネル動作モードを保存するタッチパネル動作モード保存部と、動作しているアプリケーションに対応した前記タッチパネル動作モードに従って前記複数のタッチパネルに対応した複数の信号検出部からの入力信号を処理する制御部と、からなる構成を有する。
【００１０】
この構成により、ユーザーは、使用するアプリケーションの種類に応じてタッチパネルの動作を変更することができ、複雑で高度な操作をすることができる。
【００１１】
本発明は、上記課題を解決するため、表示装置上に複数のタッチパネルを備えた情報端末装置であって、動作しているアプリケーションを管理するアプリケーション管理部と、動作しているアプリケーションの数に対応したタッチパネル動作モードを保存するタッチパネル動作モード保存部と、動作しているアプリケーションの数に対応した前記タッチパネル動作モードに従って前記複数のタッチパネルに対応した複数の信号検出部からの入力信号を処理する制御部と、からなる構成を有する。
【００１２】
この構成により、ユーザーは、動作しているアプリケーションの数に応じてタッチパネルの動作を変更することができ、複雑で高度な操作をすることができる。
【００１３】
本発明は、前記タッチパネル動作モードが第１のモードの場合、前記複数のタッチパネルをまたがる操作に対して、前記複数の信号検出部からの入力信号を連続した信号として処理を行い、前記タッチパネル動作モードが第２のモードの場合、前記複数の信号検出部からの入力信号を個別に処理するという構成を有する。
【００１４】
この構成により、動作しているアプリケーションの数、あるいは使用するアプリケーションの種類や画面に応じて複数のタッチパネルの動作を最適にすることができるため、複数のアプリケーションを同時に動作させながらタッチパネルの操作をアプリケーション毎に個別に行うなど、ユーザーが使用するアプリケーションに応じた最適なタッチパネル入力手段を提供することができる。
【００１５】
本発明は、上記課題を解決するため、前記タッチパネル動作モードに基づいて、前記複数のタッチパネルをまたがる操作が誤操作であるか否かを判定する誤操作判定部をさらに有するという構成を有する。
【００１６】
この構成により、ユーザーが使用するアプリケーションに応じて、誤操作なしに高機能な操作を行うことができるタッチパネル入力手段を提供することができる。
【発明の効果】
【００１７】
以上のように、本発明の情報端末装置によれば、ユーザーが使用するアプリケーションに応じて、誤操作なしに高機能な操作を行うことができる最適なタッチパネル入力手段を持つ情報端末装置を提供することができる。
【図面の簡単な説明】
【００１８】
【図１】本発明の実施の形態１における情報端末装置１００の外観を示す図
【図２】本発明の実施の形態１における情報端末装置１００の構成を示すブロック図
【図３】本発明の実施の形態１における情報端末装置１００の動作を説明するフローチャート
【図４】本発明の実施の形態１における情報端末装置１００においてタッチパネル動作モード保存部２に保存されている情報を示す図
【図５】本発明の実施の形態１においてアプリケーションＡが動作している場合の情報端末装置１００の表示および操作例を示す図
【図６】本発明の実施の形態１においてアプリケーションＢが動作している場合の情報端末装置１００の表示および操作例を示す図
【図７】本発明の実施の形態１において個別モードで動作するアプリケーションＢの操作を説明する図
【図８】本発明の実施の形態２における情報端末装置２００の構成を示すブロック図
【図９】本発明の実施の形態２における情報端末装置２００の動作を説明するフローチャート
【図１０】本発明の実施の形態２における情報端末装置２００におけるアプリケーションの例を示す図
【図１１】本発明の実施の形態２における情報端末装置２００の誤操作判定部９における誤操作判定のフローチャート
【図１２】本発明の実施の形態３における情報端末装置３００におけるアプリケーションの例を示す図
【図１３】本発明の実施の形態３における情報端末装置３００においてタッチパネル動作モード保存部２に保存されている情報を示す図
【図１４】本発明の実施の形態３における情報端末装置３００において複数のアプリケーションが動作している場合の誤操作を示す図
【図１５】従来の情報端末装置の動作を説明する図
【発明を実施するための形態】
【００１９】
以下に、本発明の実施の形態について、図面を参照しながら説明する。なお、実施の形態を説明するための全図において、同一の構成要素には同一符号を付与し、重複する説明は省略する。
【００２０】
（実施の形態１）
図１は、本発明の実施の形態１における情報端末装置１００の外観を示す図であり、図１（ａ）は情報端末装置１００の側面図、図１（ｂ）は情報端末装置１００の上面図である。また、図２は、本発明の実施の形態１における情報端末装置１００の構成を示すブロック図である。
【００２１】
情報端末装置１００は、例えばＰＤＡや携帯電話等であり、アプリケーション管理部１と、タッチパネル動作モード保存部２と、タッチパネル３ａ、タッチパネル３ｂと、タッチパネル３ａからの信号を検出する検出部４ａと、タッチパネル３ｂからの信号を検出する検出部４ｂと、制御部５と、表示画面作成部６と、表示装置７と、保護板８とから構成されている。
【００２２】
アプリケーション管理部１は、情報端末装置１００にて動作する、例えばメール、ブラウザ、テレビ、ゲーム、写真ビューワ等のアプリケーションのうち、現在、どのアプリケーションが動作しているかを管理する。
【００２３】
タッチパネル動作モード保存部２は、アプリケーション管理部１からの情報により決定されたタッチパネルの動作モードを保存する。
【００２４】
タッチパネル３ａおよびタッチパネル３ｂは、ユーザー操作を検知して、画面座標情報やジェスチャー情報として検出部４ａ及び検出部４ｂへ通知する。例えば、静電式のタッチパネルの場合には、一定時間毎にタッチパネルの静電容量の変化を検出しており、ユーザーの指がタッチパネルに触れることによる静電容量の変化を検知して、タッチパネルのどの部分に触れられているかを座標情報として通知する。
【００２５】
検出部４ａおよび検出部４ｂは、タッチパネル３ａおよびタッチパネル３ｂからの画面座標情報やジェスチャー情報をそれぞれ検出して、制御部５に通知する。
【００２６】
制御部５は、アプリケーション管理部１から動作しているアプリケーションを特定し、タッチパネル動作モード保存部２に保存された動作しているアプリケーションに対応したタッチパネル動作モードに基づいて、検出部４ａおよび検出部４ｂから入力された検出信号に対する処理を行う。
【００２７】
表示画面作成部６は、制御部５からの情報に基づいて表示装置７に表示する画面を作成する。
【００２８】
表示装置７は、ＬＣＤや有機ＥＬ等の表示デバイスであり、表示画面作成部６で作成された画面を表示する。
【００２９】
図３は、本発明の実施の形態１における情報端末装置１００の動作を説明するフローチャートである。図４は、タッチパネル動作モード保存部２に保存されている情報を示す図である。
【００３０】
まず、制御部５は、検出部４ａおよび検出部４ｂから入力された検出信号があるかどうかを判断する（ステップＳ１０１）。
【００３１】
ここで、検出部４ａおよび検出部４ｂのいずれかから検出信号が入力された場合（ステップＳ１０１、Ｙｅｓ）、制御部５は、現在実行中のアプリケーションの情報をアプリケーション管理部１から取得する（ステップＳ１０２）。
【００３２】
一方、検出部４ａまたは検出部４ｂのいずれかからも検出信号が入力されていない場合（ステップＳ１０１、Ｎｏ）、制御部５は、検出信号の有無の判断を繰り返す。
【００３３】
次に、制御部５は、タッチパネル動作モード保存部２から実行中のアプリケーションに対応したタッチパネル動作モードを決定する（ステップＳ１０３）。
【００３４】
次に、制御部５は、タッチパネル動作モードが個別モードであるか否かを判断する（ステップＳ１０４）。
【００３５】
タッチパネル動作モードが個別モードである場合（ステップＳ１０４、Ｙｅｓ）、制御部５は、検出部４ａおよび検出部４ｂからの情報を取得し（ステップＳ１０５）、取得した座標情報、ジェスチャー情報などを個別に処理し、アプリケーションに通知する（ステップＳ１０６）。つまり、制御部５は、検出部４ａからの情報に基づく処理と検出４ｂからの情報に基づく処理とを独立して処理するため、表示装置７上で個別の座標情報として、あるいは各々異なるジェスチャー情報として検知することができる。
【００３６】
一方、タッチパネル動作モードが個別モードでない場合、つまり、結合モードである場合（ステップＳ１０４、Ｎｏ）、制御部５は、検出部４ａおよび検出部４ｂからの情報を取得し（ステップＳ１０７）、検出部４ａおよび検出部４ｂの両方から検出情報があるかどうかを判断する（ステップＳ１０８）。
【００３７】
ここで、検出部４ａおよび検出部４ｂの両方から検出信号がない場合（ステップＳ１０８、Ｎｏ）、制御部５は、検出信号があった片方のタッチパネルからの情報として処理を行う（ステップＳ１１１）。
【００３８】
一方、検出部４ａおよび検出部４ｂの両方から検出信号がある場合（ステップＳ１０８、Ｙｅｓ）、制御部５は、その情報を連続した座標情報あるいは、連続したジェスチャー情報であるかどうかの判断を行う（ステップＳ１０９）。
【００３９】
ここで、制御部５は、取得した情報を連続した情報であると判断した場合（ステップＳ１０９、Ｙｅｓ）、その座標情報、ジェスチャー情報をアプリケーションに通知するなどの処理を行う（ステップＳ１１０）。つまり、制御部５は、タッチパネル３ａ及びタッチパネル３ｂを１つのタッチパネルを操作しているものとして扱い、２つのタッチパネルにまたがる操作を、１つの操作として処理を行い、アプリケーションへ通知する。
【００４０】
一方、制御部５は、取得した情報を連続した情報でないと判断した場合（ステップＳ１０９、Ｎｏ）、意味のない情報であると判断し、取得した情報を破棄する（ステップＳ１１２）。
【００４１】
ステップＳ１０６（取得した情報を個別に処理する）、ステップＳ１１０（取得した情報を統合して処理する）、ステップＳ１１１（一方の入力情報として処理する）のいずれかの後、制御部５は、上記処理の結果として、画面表示情報を作成し（ステップＳ１１３）、表示画面７に表示させる（ステップＳ１１４）。
【００４２】
本実施の形態では、図４に示すように、タッチパネル動作モード保存部２には、アプリケーションＡはタッチパネルを結合モードで使用し、アプリケーションＢは個別モードで使用するという情報が保存されている。
【００４３】
アプリケーションＡが起動された場合には、制御部５はタッチパネル動作モード保存部２に保存されている情報からアプリケーションＡのタッチパネル動作モードを結合モードであると決定し、アプリケーションＢが起動された場合には、個別モードであると決定する。
【００４４】
図５は、アプリケーションＡが動作している場合の情報端末装置１００の表示及び操作例を示す図である。また、図６はアプリケーションＢが動作している場合の情報端末装置１００の表示及び操作例を示す図である。
【００４５】
図５において、タッチパネル３ａおよびタッチパネル３ｂは、結合モードで動作しており、ユーザーがタッチパネル３ａおよびタッチパネル３ｂをまたぐ動作をしても、制御部５は検出部４ａおよび検出部４ｂで検出された座標情報を連続した座標として処理を行う。
【００４６】
例えば、写真ビューワのようなアプリケーションにおいて、タッチパネル上を指で弾くような動作をして前後の写真を表示するジェスチャー動作を行うとき、ユーザーは、２枚のタッチパネルがあることを全く意識することなく、タッチパネル上のどの位置を触って操作を行なっても構わない。つまり、ユーザーは片側のタッチパネルのみでの操作、両方のタッチパネルにまたがった操作を意識することなく、タッチパネルを用いた操作をすることができる。
【００４７】
一方、図６において、タッチパネル３ａおよびタッチパネル３ｂは個別モードで動作しており、制御部５は検出部４ａおよび検出部４ｂで検出された座標情報をそれぞれ個別に処理を行う。例えば、３Ｄバーチャル空間上を移動するようなゲームを操作する場合、図７に示すように、２つのタッチパネルのジャスチャー操作をアバターの動作に割り当てることで、アバターの操作を簡便に行うことが可能となる。
【００４８】
このように、本発明の実施の形態１によれば、ユーザーはアプリケーションの種類に応じて最適な入力方法によりタッチパネルの動作を行うことができ、アプリケーションの高機能化に応じた、複雑で高度な操作をすることができる。
【００４９】
なお、本発明の実施の形態では、動作しているアプリケーションに応じてタッチパネルの動作モードを変更する例を示したが、１つのアプリケーション内でも表示している画面に応じてタッチパネルの動作モードを変更することも可能である。
【００５０】
また、タッチパネル動作モード保存部２へ保存するアプリケーション毎のタッチパネル動作モードは、ユーザーが設定することも可能である。
【００５１】
（実施の形態２）
図８は、本発明の実施の形態２における情報端末装置２００の構成を示すブロック図である。
【００５２】
本実施の形態２における情報端末装置２００は、本実施の形態１で説明した情報端末装置１００に対して、誤操作判定部９を設けたことを特徴としている。
【００５３】
誤操作判定部９は、アプリケーションが動作している際のタッチパネル動作モードにより検出部４ａおよび検出部４ｂから検出された信号を誤操作であるかどうかを判定する。
【００５４】
図９は、本発明の実施の形態２における情報端末装置２００の動作を説明するフローチャートである。本発明の実施の形態２で追加された処理は、ステップＳ１２１とステップＳ１２２である。
【００５５】
タッチパネル動作モードが個別モードである場合、検出部４ａおよび検出部４ｂから取得された情報を動作しているアプリケーションに基づき、制御部５は、誤操作であるかどうかを判定し（ステップＳ１２１）、誤操作であると判定された場合（ステップＳ１２１、Ｙｅｓ）には情報を破棄する（ステップＳ１２２）。誤操作でない場合（ステップＳ１２１、Ｎｏ）には、実施の形態１と同様の処理となる。
【００５６】
これにより、動作しているアプリケーションのタッチパネル動作モードが個別モードの場合に、制御部５は、自動的にユーザー操作が誤操作であるかどうかを判断して検出部からの情報を処理することができる。
【００５７】
図１０は、本発明の実施の形態２における情報端末装置２００におけるアプリケーションの例を示す図である。本実施の形態２では、動作しているアプリケーションとして対戦型のゲームの例を示している。また、図１１は、本発明の実施の形態２における情報端末装置２００の誤操作判定部９における誤操作判定のフローチャートである。
【００５８】
図１０に示すアプリケーションでは、各々のユーザーが操作するのはそれぞれ片側のタッチパネルのため、複数のタッチパネルをまたぐ動作を誤操作と判定すれば良く、例えば、タッチパネル３ａとタッチパネル３ｂとをまたぐ動作２１をした場合、タッチパネル３ｂ側の入力信号は誤った入力信号である。このとき、検出部４ａ、検出部４ｂで検出された情報を、誤操作判定部９は、図１１に示すフローチャートの処理に従って誤操作かどうかを判定する。
【００５９】
まず、制御部５は、検出部４ａ、検出部４ｂにより入力情報を取得する（ステップＳ２０１）。
【００６０】
次に、制御部５は、保存された座標情報がｎ個を超えているかどうかを判断する（ステップＳ２０２）
ここで、制御部５は、保存された座標情報がｎ個を超えていると判断した場合（ステップＳ２０２、Ｙｅｓ）、一番古い座標情報と取得した座標情報とを入れ替える（ステップＳ２０３）。
【００６１】
一方、制御部５は、保存された座標情報がｎ個を超えていないと判断した場合（ステップＳ２０２、Ｎｏ）、ｎ個になるまで追加保存する（ステップＳ２０４）。
【００６２】
次に、制御部５は、最大ｎ個の座標情報からｎ個目の座標情報が同一タッチパネル上にあるかどうかを判断する（ステップＳ２０５）。
【００６３】
ここで、制御部５は、最大ｎ個の座標情報からｎ個目の座標情報が同一タッチパネル上にあると判断した場合（ステップＳ２０６、Ｙｅｓ）、入力情報を有効なものとして処理する（ステップＳ２０７）。
【００６４】
一方、制御部５は、最大ｎ個の座標情報からｎ個目の座標情報が同一タッチパネル上にないと判断した場合（ステップＳ２０６、Ｎｏ）、情報を破棄する（ステップＳ２０８）。
【００６５】
なお、ｎ個の座標情報を用いたのは、入力された座標情報のばらつきを考慮したものであり、使用するタッチパネルの種類や設計に依存してｎの値を決めることができる。
【００６６】
上記処理により、操作しているタッチパネルの座標情報は有効に処理し、別のタッチパネルの座標情報は破棄することができる。
【００６７】
このように、本発明の実施の形態２によれば、アプリケーションの高機能化に伴い、複雑になるユーザー動作をアプリケーションの動作に応じて誤操作判定を自動的に行うことにより、快適なユーザー操作を提供することが可能となる。
【００６８】
なお、本実施の形態では、表示装置上に複数枚のタッチパネルを備えた情報端末装置として説明を行ったが、タッチパネルの代わりにタッチパッドなど別の入力装置を用い、表示装置と入力装置とを分離した構成にしても、本発明が有効であることは明らかである。
【００６９】
（実施の形態３）
図１２に、本発明の実施の形態３における情報端末装置３００に係わるアプリケーションの例を示す図である。本実施の形態３における情報端末装置３００は、本実施の形態２で説明した情報端末装置２００と同じ構成であり、説明を省略する。
【００７０】
本実施の形態３では、タッチパネル動作モード保存部の保存情報として、アプリケーション毎の設定と別に、情報端末装置自体の動作モードを設定している点が異なる。例えば、同時に表示しながら動作しているアプリケーションが複数あれば、情報端末装置自体の動作モードとして個別モードが設定され、動作しているアプリケーションが１つであれば、アプリケーション毎の設定に従うように設定されている。なお、この情報端末装置自体の動作モードの設定は、アプリケーションを同時に複数起動する際に自動的に設定される。
【００７１】
図１２では、テレビとメールとの２つのアプリケーションが表示されており、タッチパネルの動作モードは個別モードに設定されている。この場合、タッチパネル動作モード保存部２に保存されている情報は、図１３に示されるようにアプリケーション毎の設定の他に、最優先設定として装置動作モードとして個別モードが設定されている。この場合には、動作しているアプリケーションに依存しているのではなく、情報端末装置の表示方法に依存して動作することになる。
【００７２】
本発明により、このように２つのアプリケーションが同時に動作している場合に、それぞれのアプリケーションを個別に操作することが可能となる。
【００７３】
また、この場合の誤操作判定としては、本実施の形態２で示したフローチャートによって判断することが可能である。
【００７４】
さらに、図１４に示すように、例えば、タッチパネル３ａに対応して動作しているテレビアプリケーションのボリュームを操作している際に、タッチパネル３ｂに接触してしまい、その後、タッチパネル３ａを再度操作するというように、タッチパネル３ａとタッチパネル３ｂを連続して接触しながら複数回またぐ動作をした場合、接触し始めたタッチパネル３ａの操作のみを有効とするのではなく、再度接触されたタッチパネル３ａの操作も有効と判定し、タッチパネル３ｂでの操作を誤操作と判定することで、操作の継続性を確保することも可能である。
【００７５】
このように、本発明の携帯情報端末は、アプリケーションの高機能化に伴い、複雑になるユーザー動作を、同時に動作しているアプリケーションの数に対応した装置動作モードやアプリケーション自体の動作に応じて誤操作判定を自動的に行うことにより、快適なユーザー操作を提供することが可能となる。
【００７６】
なお、情報端末装置自体の動作モードの設定は、複数アプリケーションを同時起動時のユーザー設定情報として、ユーザーが設定することも可能である。
【産業上の利用可能性】
【００７７】
本発明の情報端末装置によれば、ユーザーが使用するアプリケーションに応じて、誤操作なしに高機能な操作を行うことができる最適なタッチパネル入力手段を提供することができ、複数のタッチパネルを備えたＰＤＡや携帯電話等の電子機器に有用である。
【符号の説明】
【００７８】
１    アプリケーション管理部
２    タッチパネル動作モード保存部
３ａ、３ｂ    タッチパネル
４ａ、４ｂ    検出部
５    制御部
６    表示画面作成部
７    表示装置
８    保護板
９    誤操作判定部
１００、２００、３００    情報端末装置
【図１】
2010277126.tif 000003
【図２】
2010277126.tif 000004
【図３】
2010277126.tif 000005
【図４】
2010277126.tif 000006
【図５】
2010277126.tif 000007
【図６】
2010277126.tif 000008
【図７】
2010277126.tif 000009
【図８】
2010277126.tif 000010
【図９】
2010277126.tif 000011
【図１０】
2010277126.tif 000012
【図１１】
2010277126.tif 000013
【図１２】
2010277126.tif 000014
【図１３】
2010277126.tif 000015
【図１４】
2010277126.tif 000016
【図１５】
2010277126.tif 000017